(57)【要約】      （修正有）【課題】防災防犯機能付電話機及び非常灯付火災報知器等を利用した、安価で実効性の高い住宅用総合防災防犯システムを提供する。【解決手段】中核となる電話機１に防災防犯機能を搭載し、カメラ付ドアホン３，屋外警報発信機４，防犯カメラ５，非常灯付火災報知器６、緊急呼出ボタン７，携帯型緊急呼出警報装置８，ワイヤレス式緊急呼出警報装置９とをネットワークし、総合防災防犯システムを構築する。【選択図】図１
0003134139.tif 000002
【実用新案登録請求の範囲】
【請求項１】
電話機１に防災防犯警報発信装置、緊急通報装置、着信通話自動録音装置、防犯アナウンス装置、非常電源装置、大容量映像音声記録装置を搭載し総合防災防犯機能付電話機とする。緊急通報ボタンは黒、白、赤を基本色とし、赤十字や炎、緊急車両のデザインを取り入れ、子供や視覚障害者でも操作できる工夫をする。
【請求項２】
火災報知器６に非常照明及び赤外線人感センサー、照度センサーを組込み非常照明付火災報知器６とする。電源は電話機１または請求項５の防災防犯機能付電源ユニット２から供給する。非常照明はナイトライトとしても利用しアラームは侵入警報や緊急呼出警報としても利用する。
【請求項３】
携帯型警報器付（振動・アラーム）緊急呼出装置８を開発する。電話機１または請求項５の防災防犯機能付電源ユニット２と半径１００ｍ範囲内の携帯型警報器付緊急呼出装置８を双方向で交信し警報の発報や防犯カメラ、カメラ付ドアホンを起動できる。また、圏外では一般的な防犯ベルとして単独使用ができる。
【請求項４】
ワイヤレス式警報器付（振動・アラーム）緊急呼出装置９を開発する。電話機１または請求項５の防災防犯機能付電源ユニット２と半径１００ｍ範囲内のワイヤレス式警報器付緊急呼出装置９を双方向で交信する。また、電話機１の緊急通報装置を経由し外部とワイヤレスで交信する事ができる。この機器は主に耳の不自由なお年寄りが就寝時枕の下などに置いて使用する。ベットから落ちた際、遠くまで転がらないように四角形とし安全の為角を曲面加工する。
【請求項５】
防災防犯機能付電源ユニット２を開発する。この電源ユニットは防災防犯機能付電話１を導入しない場合に火災報知器６へ電源を供給する為に使用する。防災防犯機能を搭載しており緊急呼出装置としても利用する。さらに本体の在宅ボタン３９、外出ボタン４０を押すことで火災報知器の各センサーの感度を切り替えて（火災／火災＋人感）防犯警報装置としても利用できる。外出モード時の防犯アラームは３分で自動停止する。（防災アラームは３０分で自動停止）
【考案の詳細な説明】
【技術分野】
【０００１】  本考案は、単体の機能しか持たない既存の製品に新たな機能を付加し相互をネットワークする事により安価で実効性の高い住宅用防災防犯システムを構築する。
【背景技術】
【０００２】  インターネット網の普及や携帯端末の完成度は高く既に遠隔操作の技術は確立している。また、個々の製品は相当数が市場に流通しており製品の価格も比較的安価である。
【考案の開示】
【考案が解決しようとする課題】
【０００３】  振り込め詐欺や架空投資また、多重債務者への執拗な脅迫などの犯罪が多発し深刻な社会問題となっている。この類の犯罪は有効な防止策が無く一人ひとりが注意するしかない。【０００４】  核家族化、高齢化が進み一世帯あたりの家族数が減少している。その様な環境下で災害や事件事故等が発生した場合、対応が遅れ手遅れになる可能性が大きい。【０００５】  空き巣などの被害が多発しているが有効な防犯対策が無い。安価で実効性のある防犯システムの普及が急務である。【０００６】  消防法の改正に伴い住宅用火災報知器の設置が義務化されたが既存住宅への設置状況は悪く火災による悲惨な事故が後を絶たない。火災報知器の設置が進まない原因に「自分だけは大丈夫」という心理が強く働いているので使用頻度の高い機能を付加し積極的に導入させる工夫が必要である。【０００７】  災害の発生は昼夜を問わない。災害が夜間に起きた場合は避難する際に転倒などの二次的被害も発生するので対策が必要である。
【課題を解決するための手段】
【０００８】  電話を使用した犯罪は加害者側が一方的に話を進める傾向があり受信と返信の通話時間をそれぞれ計測し、その差を上手く利用して犯罪性の強い会話を選別する。回線が切れると自動的に注意を促す防犯アナウンスを流す。また、会話を記録装置２６に自動的に録音し重要な証拠を確保する。必要な時にＵＳＢ２．０接続端子２５から簡単に取出す事ができる。【０００９】  緊急呼出ボタン３１の１押しで全機器のアラームを一斉発報し同居の家族を呼出す。また、２押し以上で外部通信機能が作動し事前に登録した番号に電話を掛ける事ができる。【００１０】  電話機１の留守ボタン１５で防災防犯システムが警戒を開始する。非常照明付火災報知器６の煙感知部２８や赤外線人感センサー２９が火災や侵入者を感知し警報を出す。また、同時に防犯カメラ３、５が作動し、記録装置２６に映像と音声を記録する。防犯アラームは３分で自動停止し近隣への騒音へ配慮する。（防災アラームは３０分で自動停止）【００１１】  夜間の停電は心理的な不安を増大させる。非常照明３０により必要最低限の照度を確保できれば避難行動が安全に且つ迅速にできる。
【考案の効果】
【００１２】  市販されている製品を改造すれば転用できる為低コストで質の高いシステムを構築できる。【００１３】  現在、市場に出回っている住宅用火災報知器の電源はＡＣ−１００Ｖと乾電池の２種類しかない。ＡＣ−１００Ｖタイプは停電時に機能しないし乾電池タイプは火災報知器１台につき１個必要であり電池が完全に消耗してしまえば沢山の有害ゴミが出る。電話機に蓄電池を搭載すれば停電時にも機能し、また、点検および希少資源のリサイクルから見ても都合が良い。
【考案を実施するための最良の形態】
【００１４】  図１に示す通り、全ての機器を同時に導入するのが最良の形態であるが工事費まで含めるとそれなりの金額になる。図２のように専用電源ユニット２と非常照明付火災報知器６のみでも防災の効果は十分に発揮する。
【実施例】
【００１５】  火災発生、火災報知器６の一つが火災を感知し発報、信号は電話機１に送られ電話機１が防災防犯システムを構成する機器４、６、８、９に発報の信号を送る。また、同時に電話機１の記録装置２６が作動しカメラ付ドアホン３および防犯カメラ５の映像と電話機１本体のマイクが拾った音声を記録する。火災の状況を確認し避難または消火活動を行う。電話機１の緊急通報ボタン１２を押し消防署に通報する。【００１６】  浴室で気分が悪くなった、家族は全員外出中。
浴室内の防水型緊急呼出ボタン７を２回押し電話機１の外部通信回路に接続、緊急通報ＳＯＳをさらにボタンを１回押して選択し家族の携帯を呼出した。しかし圏外らしくつながらない。電話機１は自動的に１１９番に転送した。救急を要請。
【図面の簡単な説明】
【００１７】
【図１】住宅用総合防災防犯システム全体図
【図２】住宅用簡易防災防犯システム全体図
【図３】防災防犯機能付電話機の平面図
【図４】        同上        の内部平面図
【図５】非常照明付火災報知器の正面図
【図６】        同上        （露出型）の側面図
【図７】        同上        （埋込型）の側面図
【図８】緊急呼出ボタンの正面図
【図９】携帯型警報器（振動・アラーム）付緊急呼出装置の平面図
【図１０】ワイヤレス式警報器（振動・アラーム）付緊急呼出装置の平面図
【図１１】防災防犯機能付電源ユニットの正面図
【図１２】        同上              の側面図
【符号の説明】
【００１８】  １  総合防災防犯機能付電話機
２  防災防犯機能付電源ユニット
３  カメラ付ドアホン
４  屋外警報発信機（アラーム＋赤色点滅）
５  防犯カメラ
６  非常照明付火災報知器
７  緊急呼出ボタン
８  携帯型警報器（振動・アラーム）付緊急呼出装置
９  ワイヤレス式警報器（振動・アラーム）付緊急呼出装置
１０  大型カラー液晶モニター
１１  緊急通報１１０ボタン（黒色に白色文字、緊急車両のマークなど）
１２  緊急通報１１９ボタン（赤色に白色文字、赤十字、炎、緊急車両のマークなど）
１３  緊急通報ＳＯＳボタン（赤色に白色文字）
１４  警報停止、ダイヤルキャンセル
１５  留守ボタン（警戒ボタン）
１６  録音ボタン（録音停止）
１７  選択／決定ボタン
１８  カーソル移動ボタン
１９  受話器
２０  内線通信用アンテナ
２１  ＡＣアダプター（ＡＣ１００Ｖ／ＤＣ１２Ｖ）
２２  電源接続端子
２３  電話回線接続端子
２４  防災防犯機器接続端子
２５  ＵＳＢ２．０接続端子
２６  大容量記録装置（ＨＤＤ）
２７  蓄電池（ＤＣ１２Ｖ）
２８  煙感知部分
２９  熱感知部分、赤外線人感センサー、照度センサー
３０  非常照明（白色ＬＥＤ）
３１  大型緊急呼出ボタン
３２  アラーム停止ボタン
３３  マイク
３４  スピーカー
３５  ストラップ・ホール
３６  振動部分
３７  イヤホン接続口
３８  イヤホン
３９  在宅モードボタン
４０  外出モードボタン
【図１】
0003134139.tif 000003
【図２】
0003134139.tif 000004
【図３】
0003134139.tif 000005
【図４】
0003134139.tif 000006
【図５】
0003134139.tif 000007
【図６】
0003134139.tif 000008
【図７】
0003134139.tif 000009
【図８】
0003134139.tif 000010
【図９】
0003134139.tif 000011
【図１０】
0003134139.tif 000012
【図１１】
0003134139.tif 000013
【図１２】
0003134139.tif 000014
【手続補正書】
【提出日】平成19年4月24日(2007.4.24)
【手続補正１】
【補正対象書類名】明細書
【補正対象項目名】全文
【補正方法】変更
【補正の内容】
【考案の詳細な説明】
【技術分野】
【０００１】  本考案は、単体の機能しか持たない既存の製品に新たな機能を付加し、相互をネットワークする事により、安価で実効性の高い防災防犯システムを構築する事に関するものである。
【背景技術】
【０００２】  インターネット網の普及や携帯端末の完成度は高く遠隔操作の技術は確立している。【０００３】  本考案でネットワークさせようとしている個々の製品は、相当数が市場に流通しており製品の価格も比較的安価である。
【考案の開示】
【考案が解決しようとする課題】
【０００４】  振り込め詐欺や架空投資詐欺、また、多重債務者への執拗な脅迫などの犯罪が多発し深刻な社会問題となっているが、この類の犯罪は有効な防止策が無く一人ひとりが注意するしかない。【０００５】  核家族化、高齢化が進み一世帯あたりの家族数が減少しているが、その様な環境下で災害や事件事故等が発生した場合、対応が遅れ、手遅れになる可能性が大きい。【０００６】  空き巣などの被害が多発しているが、有効な防犯対策が無く、安価で実効性のある防犯システムの開発と普及が急務である。【０００７】  消防法等の改正により住宅用火災報知器の設置が義務化されたが、火災による悲惨な事故が後を絶たず、特に既存住宅への早期設置が急務である。【０００８】  災害が夜間に起きた場合、避難する際に転倒による怪我などの二次的災害も発生するので対策が必要である。【０００９】  住宅用火災報知器の電源はＡＣ−１００Ｖと乾電池の２種類しかないが、ＡＣ−１００Ｖタイプは停電時に機能しないし、乾電池タイプは１台につき１個必要であり電池が切れれば沢山の有害ゴミが出る。
【課題を解決するための手段】
【００１０】  電話による犯罪は加害者側が一方的に話を進める傾向があるので、受信と返信の通話時間を計測し、通話の時間差を比較する事で犯罪性の強い会話を選別し、回線が切れると自動的に注意を促すアナウンス機能を電話機に搭載する。【００１１】  全ての着信通話や防犯カメラの映像を記録する事ができる大容量の記録装置を電話機に搭載する。【００１２】  緊急呼出ボタンの一押しで全機器のアラームを一斉発報させ、二押し以上で、事前に登録した消防署や携帯電話に電話を掛ける外部通信機能を電話機に搭載する。【００１３】  電話機の留守ボタンを押す事で防犯システムが警戒を開始し、留守中に火災や侵入者を感知した場合に警報を鳴らし、防犯カメラが映像と音声を記録する装置と、事前に登録した消防署や携帯電話に電話を掛ける外部通信機能を電話機に搭載する。【００１４】  火災報知器に非常灯や緊急呼出アラーム等の防災防犯機能を付加する。【００１５】  電話機に蓄電池を搭載し各機器に電源を供給する。
【考案の効果】
【００１６】  相談相手がそばに居る可能性は低く犯罪性の強い電話を受けた時にいがに冷静になれるかが重要であるので、自動的に注意を促すアナウンス機能は非常に有効である。【００１７】  掛かって来た電話が犯罪性が有るか否かは直には分からないので、着信と同時に録音する事は、話の流れを知る上で重要であり証拠として十分な効果が得られる。【００１８】  火災報知器は火災だけでなく、全ての緊急事態で利用するのが合理的である。【００１９】  本考案の大部分は、各機器に電源を供給する為に有線でネットワークされているので、間仕切り壁等による通信障害がない。【００２０】  電話機自体が防災防犯機能を持つため、セキュリティー会社が設置運営する防災防犯システムの様に、外出する度に個別に操作する煩わしさがない。【００２１】  市販されている製品を転用する為、低コストで質の高いシステムを構築できる。【００２２】  電話機に蓄電池を搭載すれば停電時にも機能するし点検や希少資源のリサイクルから見ても都合が良い。
【考案を実施するための最良の形態】
【００２３】  図１は防災防犯システムの全体図である。中核となる防災防犯機能付電話機と周辺機器を多芯ケーブルでネットワークし、電源の供給や映像、音声、警報信号を相互に通信できる様になっている。システムを構成する機器の何れかが作動もしくは操作により、全ての機器が一斉に起動する。【００２４】  図２は簡易防災防犯システムの全体図である。防災防犯機能付電話機が無くても火災報知器や侵入者警報装置として簡易的に使用できる様になっている。システムを構成する機器の何れかが作動もしくは操作により、全ての機器が一斉に起動する。
【実施例】
【００２５】  火災の場合、まず火災報知器６の一つが火災を感知し発報する。信号は電話機１に送られ電話機１が防災防犯システムを構成する全ての機器を一斉に起動し警報を発報する。また、電話機１内部の記録装置２６がカメラ付ドアホン３および防犯カメラ５の映像と電話機１本体のマイクが拾った音声を記録する。火災の状況を確認し避難または消火活動を行う。電話機１の緊急通報ボタン１２を押し消防署に通報する。【００２６】  緊急呼出ボタンの一押しで電話機１が防災防犯システムを構成する全ての機器の警報を一斉発報し住居内にいる家族を呼出す。家族が不在の場合や単身者の場合は緊急呼出ボタンを二回以上押し、電話機１の緊急通報装置を起動し消防署や携帯電話に電話を掛け救助を求める。【００２７】  外出する際に電話機１の留守設定ボタン１５を押し留守番機能と防災防犯機能を起動する。火災や侵入者などの異常が発生した場合は、警報を一斉に発報し映像や音声を記録する。併せて電話機１の緊急通報装置に登録した携帯電話番号等に自動的電話を掛け異常を知らせる。
【図面の簡単な説明】
【００２８】
【図１】住宅用総合防災防犯システム全体図
【図２】住宅用簡易防災防犯システム全体図
【図３】防災防犯機能付電話機の上部平面図
【図４】同上        の内部平面図
【図５】非常灯付火災報知器の正面図
【図６】同上        （露出型）の側面図
【図７】同上        （埋込型）の側面図
【図８】緊急呼出ボタンの正面図
【図９】携帯型緊急呼出警報装置の平面図
【図１０】ワイヤレス式緊急呼出警報装置の平面図
【図１１】簡易防災防犯機能付電源装置の正面図
【図１２】同上          の側面図
【符号の説明】
【００２９】  １  総合防災防犯機能付電話機  ２  分配器  ３  カメラ付ドアホン  ４  屋外警報発信機  ５  防犯カメラ  ６  非常灯付火災報知器  ７  緊急呼出ボタン  ８  携帯型緊急呼出警報装置  ９  ワイヤレス式緊急呼出警報装置１０  簡易防災防犯機能付電源装置１１  大型カラー液晶モニター１２  緊急通報１１０ボタン１３  緊急通報１１９ボタン１４  緊急通報ＳＯＳボタン１５  警報停止、ダイヤルキャンセルボタン１６  留守／警戒ボタン１７  録音／停止ボタン１８  選択／決定ボタン１９  カーソル移動ボタン２０  受話器２１  内線通信用アンテナ２２  ＡＣアダプター（ＡＣ１００Ｖ／ＤＣ１２Ｖ）２３  電源接続端子２４  電話回線接続端子２５  防災防犯機器接続端子２６  ＵＳＢ外部出力端子２７  大容量記録装置（ＨＤＤ）２８  蓄電池（ＤＣ１２Ｖ）２９  煙感知部分３０  熱感知部分、赤外線人感センサー、照度センサー３１  非常灯（白色ＬＥＤ）３２  大型緊急呼出ボタン３３  アラーム停止ボタン３４  マイク３５  スピーカー３６  ストラップ・ホール３７  アラーム停止ボタン３８  緊急呼出ボタン３９  マイク４０  緊急呼出ボタン４１  振動部分４２  アラーム停止ボタン４３  イヤホン接続口４４  スピーカー４５  イヤホン４６  警報停止ボタン４７  在宅モードボタン４８  外出モードボタン４９  蓄電池（ＤＣ１２Ｖ）５０  アンテナ５１  防災防犯機器接続端子
【手続補正２】
【補正対象書類名】実用新案登録請求の範囲
【補正対象項目名】全文
【補正方法】変更
【補正の内容】
【実用新案登録請求の範囲】
【請求項１】
一つの火災報知器の火災信号を受けて全ての火災報知器を一斉発報させる回路と、緊急呼出ボタンの一回押し操作による全ての火災報知器を一斉発報させる回路と、緊急呼出ボタンの二回以上押しの操作による消防署や携帯電話等の番号に電話を掛ける事ができる外部通信回路と、接続した防犯カメラやカメラ付ドアホンの映像や音声や電話の会話を記録する大容量の記録装置と、接続した全ての機器に電源を供給する回路や非常電源用の蓄電池と、全ての着信通話を受信と往信別に時間を計測しながら自動的に録音する回路と、その録音した音声データの時間を比較して受信側が極端に長い犯罪性の強いと思われる会話を選別できる回路と、それを元に注意を促すアナウンス回路を内蔵した事を特長とする防災防犯機能付電話機。
【請求項２】
火災報知器中央部分の最下部に、赤外線人感センサーと照度センサーを、周辺部には白色発光ダイオードの非常灯をそれぞれ配置し、請求項１記載の防災防犯機能付電話機から電源の供給と、警報や信号を相互に通信する回路を内蔵した事を特長とする総合防災防犯システム専用の非常灯付火災報知器。
【請求項３】
請求項１記載の防災防犯機能付電話機から半径１００ｍの範囲内において、無線により双方向で通信できる携帯可能な小さな装置であって、緊急呼出ボタンと、警報停止ボタンと、アラームと、小型電池と本体からなり、半径１００ｍを越える圏外では防犯ベルとしても単独使用ができる事を特長とする総合防災防犯システム専用の携帯型緊急呼出警報装置。
【請求項４】
請求項１記載の防災防犯機能付電話機から半径１００ｍの範囲内において、無線により双方向で通信できる小さな装置であって、緊急呼出ボタンと、停止ボタンと、スピーカーと、マイクと、イヤホン用の接続口と、火災警報を音と振動により知らせる回路と、本体からなり、ベッドから落ちた際、遠くまで転がらないように外観を薄型の四角形とした事を特長とする総合防災防犯システム専用のワイヤレス式緊急呼出警報装置。
【請求項５】
請求項１記載の防災防犯機能付電話機から、電話機能と、外部通信機能と、録画録音機能を外した簡易防災防犯機能を内蔵した電源装置であって、請求項２記載の非常灯付火災報知器の、赤外線人感センサーの感度を切り替える押しボタンスイッチと、警報停止ボタンのみを本体正面に配置した事を特長とする簡易防災防犯機能付電源装置。
【手続補正３】
【補正対象書類名】図面
【補正対象項目名】全図
【補正方法】変更
【補正の内容】
【図１】
0003134139.tif 000015
【図２】
0003134139.tif 000016
【図３】
0003134139.tif 000017
【図４】
0003134139.tif 000018
【図５】
0003134139.tif 000019
【図６】
0003134139.tif 000020
【図７】
0003134139.tif 000021
【図８】
0003134139.tif 000022
【図９】
0003134139.tif 000023
【図１０】
0003134139.tif 000024
【図１１】
0003134139.tif 000025
【図１２】
0003134139.tif 000026